(57)【要約】【課題】外観が良好なファサードやフェンスを構成することができる格子面状体を提供する。【解決手段】上下の横材１、２間に複数の縦格子３を取り付け、上記横材１、２の端部に柱固定部材４を取り付け、該柱固定部材４に縦格子３と同じ正面形状を有する柱５を取り付け、柱５と縦格子３とを等間隔かつ面一に取り付けたことを特徴とする。上記柱固定部材４には、同じ構成の格子面状体ａにおける横材１、２の端部を取り付けるための連結部１０を設けてもよい。【選択図】図３
2007224699.tif 000002
【特許請求の範囲】
【請求項１】
上下の横材間に複数の縦格子を取り付け、上記横材の端部に柱固定部材を取り付け、該柱固定部材に縦格子と同じ正面形状を有する柱を取り付け、柱と縦格子とを等間隔かつ面一に取り付けた
ことを特徴とする格子面状体。
【請求項２】
上記柱固定部材には、同じ構成の格子面状体における横材の端部を取り付けるための連結部が設けられている、請求項１に記載の格子面状体。
【発明の詳細な説明】
【技術分野】
【０００１】
本発明は、上下の横材間に複数の縦格子を取り付けてなり、建築物の正面に設置される格子面状体に関する。
【背景技術】
【０００２】
一般に、格子面状体はいわゆるファサードを構成するもので、上下の横材間に複数の縦格子を取り付けてなり、建築物の正面に設置されるものである。ファサードとは、建築物の正面の外観のことで、その建築物で最も見せ場となる部分であり、門扉やフェンス、植栽などの外構と密接に関連する。
【０００３】
このように、ファサードはフェンスや外構などとともにエクステリアのデザインとしても重要な部分である。
【発明の開示】
【発明が解決しようとする課題】
【０００４】
ところが、ファサードやフェンスは外観上美麗であることが求められているのであるが、従来のフェンスの範囲を越えることはできなかった。
【０００５】
本発明はこのような問題点を解消し、特に外観が良好なファサードやフェンスを構成することができる格子面状体を提供することをその課題とする。
【課題を解決するための手段】
【０００６】
前記課題を解決するため、請求項１に係る発明は、上下の横材間に複数の縦格子を取り付け、上記横材の端部に柱固定部材を取り付け、該柱固定部材に縦格子と同じ正面形状を有する柱を取り付け、柱と縦格子とを等間隔かつ面一に取り付けたことを特徴とする。
【０００７】
請求項２に係る発明は、請求項１において、上記柱固定部材には、同じ構成の格子面状体における横材の端部を取り付けるための連結部が設けられていることを特徴とする。
【発明の効果】
【０００８】
請求項１に係る発明によれば、横材の端部に柱固定部材を取り付け、該柱固定部材に縦格子と同じ正面形状を有する柱を取り付け、柱と縦格子とを等間隔かつ面一に取り付けているから、格子面状体は、全体を支持する柱と縦格子とが正面側に同じ大きさの断面で面一に、かつ等間隔に配置され、正面側から見ると、格子状の面板が張られているようなシンプルな構造なので、かえって目立ちやすく、好ましい外観のファサードを構成することができる。
【０００９】
請求項２に係る発明によれば、全ての柱と縦格子が面一で等間隔に現われるから、外観的には一枚の長い格子面状体が形成されているようなファサードやフェンスを構成することができる。通常のフェンスはパネル体を間柱式または自在柱式に連結することが行なわれており、上述の格子面状体は実際には間柱式の連結態様であるが、見掛け上は自在柱式で連結したような、同じ格子模様が連続する外観を呈する。したがって、シンプルな構造なので、かえって目立ちやすく、好ましい外観のファサードやフェンスを構成することができる。また、高い取付強度を得ることができる。
【発明を実施するための最良の形態】
【００１０】
図１は格子面状体の正面図、図２は図１のＸ−Ｘ線上の一部の断面図であり、図３は図１のＹ−Ｙ線上の断面図である。
【００１１】
上図において符号ａは格子面状体を示す。格子面状体ａは、アルミニウム等の押出型材から構成され、上下の横材１、２間に複数の縦格子３を取り付け、上記横材１、２の端部に柱固定部材４を取り付け、該柱固定部材４に縦格子３と同じ大きさの柱５を取り付け、柱５と縦格子３とを等間隔かつ面一に取り付けたものである。
【００１２】
横材１、２は断面が方形で、正面側に縦格子３と柱５の取付面６が形成され、背面側の上下端縁にはＬ形溝７が形成されている。なお、背面の中央には固定ビスとドライバを挿入するための作業溝８（図４参照）が開口し、この作業溝には溝隠し板９が取り付けられている。
【００１３】
縦格子３と柱５は断面が同じ大きさの方形に形成されている。長さは柱５の方が縦格子３よりも長い。
【００１４】
柱固定部材４は図４に示されるようにブロック状に形成され、部材本体４ａとその背面側から側方に突出した連結部１０とからなり、連結部１０の下端には支持片１１が正面側に突出形成されている。そして、部材本体４ａの中央と連結部１０にはビス挿通孔１２、１３が形成されている。
【００１５】
次に、上下の横材１、２に縦格子３を取り付けるときは、横材１、２の作業溝８から固定ビス１４を入れ、横材１、２の正面板から縦格子３に固定ビス１４をねじ込んで固定する。なお、隣り合う縦格子３間の間隔は等間隔に設定されている。
【００１６】
横材１、２の両端には柱固定部材４が取り付けられている。柱固定部材４の部材本体４ａの側面に横材１、２の端面が突き当てられ、また柱固定部材４の連結部１０は横材１、２の背面に係合し、さらに柱固定部材４の支持片１１には横材１、２の下面のＬ形溝７が係合している。そして、連結部１０が横材１、２に固定ビス１４でネジ止め固定されている。これにより、柱固定部材４は、部材本体４ａの正面と横材１、２の正面とが面一の状態で横材１、２に取り付けられる。
【００１７】
次に、柱固定部材４の部材本体４ａの正面に柱５を当て、部材本体４ａの裏側からビス挿通孔１２に挿通された固定ビス１４により柱５が固定されている。柱５の下端は地中の固定用ブロック１５に固定されて格子面状体ａ全体を支持する。
【００１８】
なお、縦格子３は上述のように等間隔に配置されているが、両端の縦格子３の隣りには、横材１、２の端部に設けられた柱固定部材４を介して柱５が固定されるので、一端の柱固定部材４に固定された柱５の中心Ｐと他端の柱固定部材４に固定された柱５の中心Ｐまでの間に縦格子３が等間隔に配置されるように設定されている。
【００１９】
上述のように、格子面状体ａは、全体を支持する柱５と縦格子３とが正面側に同じ大きさの断面で面一に、かつ等間隔に配置されているから、正面側から見ると、格子状の面板が張られているようなシンプルな構造なので、かえって目立ちやすく、好ましい外観のファサードを構成することができる。
【００２０】
なお、柱固定部材４の構成は上述の形態に限定されない。例えば、連結部は横材の内部に嵌合してビス止め固定する構成であってもよい。
【００２１】
次に、図４〜図６に示されるように、上記構成の複数の格子面状体ａをシステムとして連結することにより大きな格子面状体Ａを組み立てることができる。
【００２２】
この場合は、図５および図７に示されるように、上記柱固定部材４の両側に連結部１０を形成すればよい。新しい連結部１０にも支持片１１が形成されている。一枚の格子面状体ａの上下の横材１、２の端部に上記柱固定部材４を取り付け、さらに、突出している連結部１０を、上述と同じ要領で同じ構成の他の格子面状体ａの横材１、２の端部に取り付けることにより、２枚の格子面状体ａは連結される。さらに、上記柱固定部材４に柱５を固定して地中に埋設すれば完成する。
【００２３】
以上のような格子面状体システムによれば、全ての柱５と縦格子３が面一で等間隔に現われるから、外観的には一枚の長い格子面状体ａが形成されているようなファサードやフェンスを構成することができる。通常のフェンスはパネル体を間柱式または自在柱式に連結することが行なわれており、上述の格子面状体Ａは実際には間柱式の連結態様であるが、見掛け上は自在柱式で連結したような、同じ格子模様が連続する外観を呈する。したがって、シンプルな構造なので、かえって目立ちやすく、好ましい外観のファサードやフェンスを構成することができる。また、高い取付強度を得ることができる。
【産業上の利用可能性】
【００２４】
上記構成の格子面状体および格子面状体システムは、ファサードに限定されない。フェンスや外構などにも適用することができる。
【図面の簡単な説明】
【００２５】
【図１】格子面状体の正面図である。
【図２】図１のＸ−Ｘ線上の断面図である。
【図３】図１のＹ−Ｙ線上の断面図である。
【図４】柱固定部材の斜視図である。
【図５】連結された格子面状体の正面図である。
【図６】図５のＺ−Ｚ線上の断面図である。
【図７】柱固定部材の他の形態の斜視図である。
【符号の説明】
【００２６】
ａ  格子面状体
１、２  横材
３  縦格子
４  柱固定部材
５  柱
１０  連結部
１６  コーナー連結部材
【図１】
2007224699.tif 000003
【図２】
2007224699.tif 000004
【図３】
2007224699.tif 000005
【図４】
2007224699.tif 000006
【図５】
2007224699.tif 000007
【図６】
2007224699.tif 000008
【図７】
2007224699.tif 000009